(57)【要約】【課題】ユーザが印刷物に含まれる画像が公開されているＷｅｂページを簡単に特定することができる印刷物を作成する印刷制御装置、プログラム、印刷方法を提供する。【解決手段】ネットワークを通じてＷｅｂサイトを管理するサーバにアクセス可能な印刷制御装置であって、前記Ｗｅｂサイトで公開されている画像の指定を受付ける指定受付部と、指定された前記画像を前記サーバを通じて取得する画像取得部と、前記Ｗｅｂサイト上で前記画像が公開されているＷｅｂページにアクセスするためのアクセス情報を取得するアクセス情報取得部と、文字又は画像により前記アクセス情報を表すコード情報を生成するコード情報作成部と、取得された前記画像と、生成された前記コード情報と、が含まれる合成画像をプリンタに印刷させる印刷実行部と、を有する。【選択図】図２
2015087998.tif 000002
【特許請求の範囲】
【請求項１】
ネットワークを通じてＷｅｂサイトを管理するサーバにアクセス可能な印刷制御装置であって、
前記Ｗｅｂサイトで公開されている画像の指定を受付ける指定受付部と、
指定された前記画像を前記サーバを通じて取得する画像取得部と、
前記Ｗｅｂサイト上で前記画像が公開されているＷｅｂページにアクセスするためのアクセス情報を取得するアクセス情報取得部と、
文字又は画像により前記アクセス情報を表すコード情報を作成するコード情報作成部と、
取得された前記画像と、生成された前記コード情報とが含まれる合成画像をプリンタに印刷させる印刷実行部と、を有することを特徴とする印刷制御装置。
【請求項２】
前記Ｗｅｂサイトは、前記画像を個別に公開する第１のサービスと、前記画像を含めた複数の画像を一括で公開する第２のサービスと、を提供し、
前記アクセス情報取得部は、前記第１のサービスのアクセス情報、又は前記第２のサービスのアクセス情報のいずれかを取得する、ことを特徴とする請求項１に記載の印刷制御装置。
【請求項３】
前記コード情報を読み取る読み取り部と、
前記読み取られたコード情報をもとに前記アクセス情報を復元し、前記画像が公開されているＷｅｂページを表示させるコード解析部と、を有することを特徴とする請求項１又は請求項２のいずれかに記載の印刷制御装置。
【請求項４】
前記印刷実行部は、第１の用紙に印刷するコード情報の濃度を、前記第１の用紙と比べてインクが滲み難い第２の用紙に印刷するコード情報の濃度に比べて低くする、ことを特徴とする請求項１から請求項３のいずれか一項に記載の印刷制御装置。
【請求項５】
前記印刷実行部は、第３の用紙に印刷するコード情報のサイズを、前記第３の用紙と比べてインクが滲み易い第４の用紙に印刷するコード情報のサイズに比べて小さくする、ことを特徴とする請求項１から請求項４のいずれか一項に記載の印刷制御装置。
【請求項６】
ネットワークを通じてＷｅｂサイトを管理するサーバにアクセス可能な機能を印刷制御装置に実行させるプログラムであって、
前記印刷制御装置に、
前記Ｗｅｂサイトで公開されている画像の指定を受付ける指定受付手段と、
指定された前記画像を、前記サーバを通じて取得する画像取得手段と、
前記Ｗｅｂサイト上で前記画像が公開されているＷｅｂページにアクセスするためのアクセス情報を取得するアクセス情報取得手段と、
文字又は画像により前記アクセス情報を表すコード情報を作成するコード情報作成手段と、
取得された前記画像と、生成された前記コード情報とが含まれる合成画像をプリンタに印刷させる印刷実行手段と、実現させることを特徴とするプログラム。
【請求項７】
ネットワークを通じてＷｅｂサイトを管理するサーバにアクセスし、前記サーバに管理されている画像をプリンタに印刷させる印刷方法であって、
前記Ｗｅｂサイトで公開されている画像の指定を受付け、
指定された前記画像を、前記サーバを通じて取得し、
前記Ｗｅｂサイト上で前記画像が公開されているＷｅｂページにアクセスするためのアクセス情報を取得し、
文字又は画像により前記アクセス情報を表すコード情報を作成し、
取得された前記画像と、生成された前記コード情報とが含まれる合成画像をプリンタに印刷させる、ことを特徴とする印刷方法。
【発明の詳細な説明】
【技術分野】
【０００１】
本発明は、画像を管理するサーバから画像を取得する印刷制御装置、プログラム、及び取得された画像を印刷する印刷方法に関する。
【背景技術】
【０００２】
従来、写真画、テキスト、更には動画等の画像を閲覧することができるＷｅｂサイトが知られている。例えば、複数の画像が投稿されたフォトアルバムサイトや、ＳＮＳ（Social Network Service）サイトでは、ユーザがＷｅｂサイトに投稿された画像を閲覧することができる。ｗｅｂサイトでは、画像を管理するサーバがネットワークに接続されており、ユーザはサーバにアクセスすることで、画像の閲覧を要求する（例えば、特許文献１参照）。
【０００３】
また、ユーザがＷｅｂサイトに投稿された画像をダウンロードし、ダウンロードされた画像を用いた印刷物を作成する場合がある。例えば、ユーザはダウンロードした画像をはがきの文面に印刷し、他のユーザに送る場合などがある。
【先行技術文献】
【特許文献】
【０００４】
【特許文献１】特開２００８−１９７９６８号公報
【発明の概要】
【発明が解決しようとする課題】
【０００５】
しかし、印刷物には画像が公開されているＷｅｂページの所在を示す情報が存在しないため、印刷物を受け取っても、他のユーザは画像を閲覧できるＷｅｂページを特定することができない。
【０００６】
本発明は、上記課題にかんがみてなされたもので、印刷物に含まれる画像が公開されているＷｅｂページを、ユーザが簡単に特定することができる印刷物を作成する印刷制御装置、プログラム、印刷方法の提供を目的とする。
【課題を解決するための手段】
【０００７】
上記課題を解決するために、本発明の一態様では、ネットワークを通じてＷｅｂサイトを管理するサーバにアクセス可能な印刷制御装置であって、前記Ｗｅｂサイトで公開されている画像の指定を受付ける指定受付部と、指定された前記画像を、前記サーバを通じて取得する画像取得部と、前記Ｗｅｂサイト上で前記画像が公開されているＷｅｂページにアクセスするためのアクセス情報を取得するアクセス情報取得部と、文字又は画像により前記アクセス情報を表すコード情報を作成するコード情報作成部と、取得された前記画像と、生成された前記コード情報と、が含まれる合成画像をプリンタに印刷させる印刷実行部と、を有する。
【０００８】
上記のように構成された発明では、Ｗｅｂサイトで公開されている画像をプリンタで印刷する場合に、この画像が公開されているＷｅｂページのアクセス情報を表すコード情報が印刷される。そのため、ユーザはこのコード情報をもとに、画像が公開されているＷｅｂサイトを容易に特定することができる。
コード情報は、Ｗｅｂサイトを特定できるものであればどの様なものであってもよい。例えば、１次元情報であるバーコードや、２次元情報であるＱＲコード（登録商標）、更にはＵＲＬそのものであってもよい。
【０００９】
また、本発明の一態様では、前記Ｗｅｂサイトは、前記画像を個別に公開する第１のサービスと、前記画像を含めた複数の画像を一括で公開する第２のサービスと、を提供し、前記アクセス情報取得部は、前記第１のサービスのアクセス情報、又は前記第２のサービスのアクセス情報のいずれかを取得する、構成としてもよい。
上記のように構成された発明では、画像が公開されるサービスの種別に応じて、印刷されるコード情報を設定することができる。
【００１０】
そして、本発明の一態様では、前記コード情報を読み取る読み取り部と、前記読み取られたコード情報をもとに前記アクセス情報を復元し、前記画像が公開されているＷｅｂページを表示させるコード解析部と、を有する構成としてもよい。
上記のように構成された発明では、コード情報を読み取ることで画像が公開されているＷｅｂページにアクセスできるため、ユーザは簡単に画像が公開されているＷｅｂページを閲覧することができる。
【００１１】
さらに、本発明の一態様では、前記印刷実行部は、第１の用紙に印刷するコード情報の濃度を、前記第１の用紙と比べてインクが滲み難い第２の用紙に印刷するコード情報の濃度に比べて低くする、構成としてもよい。
上記のように構成された発明では、印刷されたコード情報が滲むことで読み取り性が悪くなるのを抑制することができる。
【００１２】
また、本発明の一態様では、前記印刷実行部は、第３の用紙に印刷するコード情報のサイズを、前記第３の用紙と比べてインクが滲み易い第４の用紙に印刷するコード情報のサイズに比べて小さくする、構成としてもよい。
上記のように構成された発明では、印刷されたコード情報が滲み難い用紙を用いる場合は、コード情報を小さくすることができる。その結果、印刷されたコード情報を目立ち難くすることができる。
【００１３】
そして、本発明の一態様では、印刷制御装置に限らず、本発明を適用したプログラムや印刷方法にも適用することができる。
【図面の簡単な説明】
【００１４】
【図１】印刷システムを説明する図である。
【図２】ユーザ端末１０の構成を説明するブロック図である。
【図３】Ｗｅｂサーバ３０の構成を説明するブロック図である。
【図４】Ｗｅｂサイト１１０により提供される閲覧ページ（Ｗｅｂページ）を説明する図である。
【図５】ユーザ端末１０のディスプレイ１３に表示されるＵＩ画面を示す。
【図６】ユーザ端末１０により作成される印刷データＰＤを説明する図である。
【図７】印刷システム１００における処理を示すシーケンスチャートである。
【図８】図７のステップＳＡ１５において実行される処理を詳細に示すフローチャートである。
【図９】ユーザ端末１０が印刷データＰＤを作成する際に、ディスプレイ１３に表示するプレビュー画像３００を示す図である。
【図１０】ディスプレイ１３に表示されたオプション画面３１０を説明する図である。
【図１１】プリンタ４０が印刷した印刷物の使用方法を説明する図である。
【図１２】被印刷物の種別に応じて変更されるコード情報の濃度を示す図である。
【発明を実施するための形態】
【００１５】
以下、下記の順序に従って本発明の実施形態を説明する。
１．第１の実施形態：
（１）印刷システムの構成：
（２）Ｗｅｂサイトの構成：
（３）印刷方法：
（４）印刷物の使用方法：
２．第２の実施形態：
３．第３の実施形態：
４．その他の実施形態：
【００１６】
１．第１の実施形態：
（１）印刷システムの構成：
図１は、印刷システムを説明する図である。
印刷システム１００は、ユーザ端末１０、２０と、Ｗｅｂサーバ３０と、プリンタ４０と、を備える。また、各装置は、インターネット５０やこのインターネット５０に接続された基地局６０を通じて接続されている。本実施形態では、印刷制御装置はユーザ端末１０、２０により実現される。
【００１７】
図１に示す印刷システム１００では、ユーザＡやユーザＢはユーザ端末１０、２０を操作して、Ｗｅｂサーバ３０が管理するＷｅｂサイト１１０を利用することができる。Ｗｅｂサイト１１０が提供するサービスにより、Ｗｅｂサーバ３０への画像の投稿、投稿された画像の閲覧、更には、投稿された画像をダウンロードすることができる。また、ユーザ端末１０は、プリンタ４０と通信可能に接続されている。そのため、ユーザはユーザ端末１０を操作してＷｅｂサーバ３０からダウンロードした画像をプリンタ４０に送信し、印刷させることができる。ここで、画像とは、デジタルカメラにより撮像した写真画、テキスト情報、グラフィック画、更には動画を含む。
【００１８】
図２は、ユーザ端末１０の構成を説明するブロック図である。ユーザ端末１０は、例えば、スマートフォンや、小型ＰＣ等により実現される。ユーザ端末１０は、無線通信部１１と、ＮＷＩＦ１２と、ディスプレイ１３と、カメラ部１４と、制御部１５と、メモリ１９と、を備えている。ユーザ端末１０は、制御部１５の制御により各部が駆動することで、Ｗｅｂサーバ３０や、プリンタ４０との間で通信を行うことができる。
なお、ユーザ端末２０は、ユーザ端末１０と同様の構成を有するため、説明を省略する。
【００１９】
無線通信部１１は、基地局６０との間で無線通信を行う。そのため、ユーザ端末１０は、基地局６０を経由してインターネット５０に接続され、Ｗｅｂサイト１１０のサービスを利用することができる。
ＮＷＩＦ１２は、プリンタ４０との間で確立されるネッワークを利用して、プリンタ４０との間で通信を行う。ＮＷＩＦ１２が利用するネットワークは、インターネット５０であってもよいし、Bluetooth（登録商標）や赤外線通信等の近距離無線通信であってもよい。
【００２０】
ディスプレイ１３は、Ｗｅｂサーバ３０が管理するＷｅｂサイト１１０を表示する。また、本実施形態では、ディスプレイ１３は、ユーザからの接触操作を受付けるタッチパネルとしても機能する。
【００２１】
カメラ部（読み取り部）１４は、ＣＣＤ（Cahrge Coupled Device）等の撮像素子を備え、被写体の映像をデジタル化し、写真（画像）を生成する。カメラ部１４を通じて取得された写真は、メモリ１９に記録される。
【００２２】
メモリ１９は、例えば、ＳＤメモリ等のフラッシュメモリにより構成される。また、メモリ１９には、アプリケーションプログラムＡＰと、テンプレートデータＴＤと、が記録されている。制御部１５（ＣＰＵ１６）が、アプリケーションプログラムＡＰを実行することで、ユーザ端末１０は、Ｗｅｂサイト１１０から画像をダウンロードし、この画像をプリンタ４０に印刷させることができる。
【００２３】
制御部１５は、ＣＰＵ１６、ＲＡＭ１７、ＲＯＭ１８を備える。制御部１５は、メモリ１９に記録されたアプリケーションプログラムＡＰをＲＡＭ１７に展開して実行することで、指定受付部１５ａ、画像取得部１５ｂ、アクセス情報取得部１５ｃ、コード情報作成部１５ｄ、印刷実行部１５ｅを機能的に備える。更に、制御部１５は、コード解析部１５ｆとしても機能する。なお、各部の機能は後述する。
【００２４】
図３は、Ｗｅｂサーバ３０の構成を説明するブロック図である。Ｗｅｂサーバ３０は、ＮＷＩＦ３１と、制御部３２と、管理用ＤＢ３６と、画像管理領域３７と、を備える。本実施形態では、Ｗｅｂサーバ３０は、１つのサーバにより構成されるが、各機能を個別に有する複数のサーバの組合せにより実現されてもよい。
【００２５】
管理用ＤＢ３６は、例えば、ＨＤＤ（Hard Disk Drive）と、このＨＤＤに記録されたリージョナルデータベースを構築するデータにより構成される。管理用ＤＢ３６は、Ｗｅｂサイト１１０の各会員とＷｅｂサイトのサービスに付随する属性情報（画像、ＵＲＬ）とを関連付けるテーブルを記録している。また、管理用ＤＢ３６に記録される各テーブルは、それぞれ関連付けがおこなわれており、会員のアカウント情報などをもとに画像に関する必要な属性情報を検索できるようになっている。そのため、制御部３２は、管理用ＤＢ３６に記録されたテーブルをもとに、必要な情報を検索することができる。
【００２６】
画像管理領域３７は、Ｗｅｂサイト１１０の会員から投稿された画像（写真、コメント）が複数記録されている。画像管理領域３７は、一次管理領域３７１と、アルバム管理領域３７２と、を備える。一次管理領域３７１と、アルバム管理領域３７２とは、会員毎に画像管理領域３７に形成されている。
【００２７】
一次管理領域３７１は、会員が投稿した画像の内、Ｗｅｂサイト１１０のサービスである『デフォルト』の閲覧ページで公開される画像が記録されている。また、アルバム管理領域３７２には、会員が投稿した画像の内、Ｗｅｂサイト１１０のサービスである『アルバム』の閲覧ページで公開される画像が記録されている。
【００２８】
制御部３２は、ＣＰＵ３３、ＲＡＭ３４、ＲＯＭ３５、を備える。制御部３２は、ＣＰＵ３３が、ＲＯＭ３５に記録されたプログラムを実行することで、サイト管理モジュール３２ａと、検索モジュール３２ｂと、閲覧画像作成モジュール３２ｃと、を機能的に有する。
【００２９】
サイト管理モジュール３２ａは、ＮＷＩＦ３１を通じてユーザ端末１０、２０から所定の要求（リクエスト）があった場合に、このリクエストに応じた返信（レスポンス）を行う。検索モジュール３２ｂは、会員のアカウント情報などから、管理用ＤＢ３６に記録されたテーブルをもとに、画像や画像の属性情報（ＵＲＬ等）を検索する。閲覧画像作成モジュール３２ｃは、画像管理領域３７から取得された画像をもとに、閲覧ページを表示するためのＨＴＭＬデータを作成する。ユーザ端末１０から閲覧ページの要求がある場合、サイト管理モジュール３２ａは、閲覧画像作成モジュール３２ｃにより作成されたＨＴＭＬデータを、ＮＷＩＦ３１を制御してユーザ端末１０にダウンロードする。
【００３０】
プリンタ４０は、ユーザ端末１０が生成する印刷データをもとに用紙（被印刷物）に印刷を行う。本実施形態では、プリンタ４０は、印刷ヘッドからインクを吐出するインクジェットプリンタである。無論、プリンタ４０は、レーザープリンタであってもよい。
【００３１】
（２）Ｗｅｂサイトの構成：
図４は、Ｗｅｂサイト１１０により提供される閲覧ページ（Ｗｅｂページ）を説明する図である。図４に示す閲覧ページ１２０、１３０は、Ｗｅｂサイト１１０の会員であるユーザＡによって投稿された画像が公開されるＷｅｂページである。
図４（ａ）は、デフォルトの閲覧ページ（第１のサービス）１２０である。また、図４（ｂ）は、画像をＷｅｂサイト１１０のサービスである『アルバム』に管理した場合の閲覧ページ（第２のサービス）１３０である。以下、デフォルトの閲覧ページをデフォルトページ１２０と記載し、アルバムの閲覧ページをアルバムページ１３０とも記載する。
【００３２】
図４（ａ）に示すデフォルトページ１２０には、ユーザＡが投稿した画像（写真、コメント等）が、個別に管理されている。例えば、デフォルトページ１２０は、ユーザＡが投稿した写真１２１を、投稿された日時に応じて順次表示していく。また、ユーザＡが投稿した写真１２１の近くには、写真の投稿と共に会員が書き込んだコメント１２２と、写真が投稿された日付１２３とが表示されている。上述したように、デフォルトページ１２０に表示される画像（写真、コメント等）は、画像管理領域３７の一次管理領域３７１に記録されている。以下、画像と記載した場合は、写真、コメント、日付を含むものとする。
【００３３】
図４（ｂ）に示す閲覧ページ１３０には、デフォルトページ１２０に投稿した画像の内、ユーザが選択した画像が表示されている。このアルバムページ１３０は、Ｗｅｂサイト１１０が提供するサービスである『アルバム』を、ユーザが利用した場合に作成される。上述したように、アルバムページ１３０に表示される写真１２１等は、画像管理領域３７のアルバム管理領域３７２に記録されている。
【００３４】
（３）印刷方法
次に、Ｗｅｂサイト１１０に投稿された画像を、ユーザ端末１０を用いてプリンタ４０に印刷させる方法（印刷方法）を説明する。
【００３５】
図５は、ユーザ端末１０のディスプレイ１３に表示されるＵＩ画面を示す。図５（ａ）は、アプリケーションを選択する機能選択画面２００を示す。この機能選択画面２００では、『サイト写真印刷』を示すアイコン２０１、『ディスクレーベル印刷』を示すアイコン２０２、『手書き合成シート印刷』を示すアイコン２０３が、それぞれ表示されている。各アイコン２０１〜２０３は、それぞれのアプリケーションを起動するための操作キーとして機能する。ユーザが、ディスプレイ１３に表示された機能選択画面２００で『サイト写真印刷』を示すアイコン２０１を操作すると、制御部１５は、アプリケーションプログラムＡＰを起動する。
【００３６】
図５（ｂ）は、アプリケーションプログラムＡＰによりユーザ端末１０のディスプレイ１３に表示された閲覧ページを示す。一例として、閲覧ページはデフォルトページ１２０である。この閲覧ページ（デフォルトページ１２０）において、ユーザ端末１０は、ユーザによる印刷を行う画像の指定を受付ける。そして、ユーザ端末１０は、指定された画像をもとに、プリンタ４０に印刷を実行させるための印刷データＰＤを作成する。
【００３７】
図６は、ユーザ端末１０により作成される印刷データＰＤを説明する図である。印刷データＰＤは、例えば、プリンタ４０が使用するインクの種別（シアン、マゼンダ、イエロー、ブラック）毎の、ビットマップデータにより構成されている。ユーザ端末（印刷実行部１５ｅ）１０は、Ｗｅｂサーバ３０から取得した画像ＧＤ、及びこの画像ＧＤが公開されるＷｅｂページのＵＲＬ（アクセス情報ＡＩ）をもとに、印刷データＰＤを生成する。具体的には、まず、ユーザ端末（コード情報作成部１５ｄ）１０は、Ｗｅｂサーバ３０から取得したＵＲＬ（アクセス情報ＡＩ）をもとにコード情報ＣＩを生成する。次に、ユーザ端末１０は、画像ＧＤ、コード情報ＣＩをテンプレートデータＴＤに合成し、印刷データＰＤを生成する。
【００３８】
図７は、印刷システム１００における処理を示すシーケンスチャートである。図７に示す処理により、図６に示す印刷データＰＤが作成され、この印刷データＰＤをもとにプリンタ４０が印刷を実行する。なお、図７に示すシーケンスは、ユーザ端末１０によるアプリケーションプログラムＡＰの実行により行われる。
【００３９】
ステップＳＡ１１では、ユーザ端末１０の指定受付部１５ａは、ディスプレイ１３に表示された閲覧ページにおいて、印刷対象となる画像ＧＤの指定を受付ける（指定受付手段）。例えば、ユーザＡがディスプレイ１３に表示された閲覧ページに表示される写真をタッチして選択することで画像の指定が行われる。
【００４０】
ステップＳＡ１２では、ユーザ端末１０の画像取得部１５ｂは、ステップＳＡ１１でユーザに指定された画像ＧＤをＷｅｂサーバ３０に要求する（画像取得手段）。ユーザ端末１０とＷｅｂサーバ３０との通信は例えば、ＨＴＴＰプロトコルに応じて実行される。
【００４１】
ステップＳＢ１１では、Ｗｅｂサーバ３０のサイト管理モジュール３２ａは、画像ＧＤの要求を受けると、画像ＧＤをインターネット５０を通じてユーザ端末１０にダウンロードする。
【００４２】
次に、ステップＳＡ１３では、ユーザ端末１０のアクセス情報取得部１５ｃは、ステップＳＡ１２で要求した画像ＧＤが公開されるＷｅｂページのＵＲＬ（アクセス情報ＡＩ）をＷｅｂサーバ３０に要求する（アクセス情報取得手段）。このステップにおいて要求されるＷｅｂページのＵＲＬは、デフォルトページ１２０であってもよし、アルバムページ１３０であってもよい。また、デフォルトページ１２０とアルバムページ１３０の両方であってもよい。要求されるＵＲＬがデフォルトページ１２０の場合、一次管理領域３７１に記録された画像毎のＵＲＬが要求される。要求されるＵＲＬがアルバムページ１３０の場合、アルバム管理領域３７２に記録されたアルバムを表示するＵＲＬが要求される。
【００４３】
Ｗｅｂサーバ３０では、ＷｅｂページのＵＲＬの要求を受けると、ＷｅｂページのＵＲＬを、インターネット５０を通じてユーザ端末１０にダウンロードする（ステップＳＢ１２）。ＷｅｂページのＵＲＬを検索する方法の一例としては、ユーザＡのアカウント情報や、ステップＳＢ１２でダウンロードした画像ＧＤに関連付けられた属性情報をもとに、検索モジュール３２ｂが、画像ＧＤが公開されるＷｅｂページのＵＲＬを検索する。
【００４４】
ステップＳＡ１４では、ユーザ端末１０のコード情報作成部１５ｄがダウンロードされたＵＲＬをもとにコード情報ＣＩを作成する（コード情報作成手段）。一例として、コード情報作成部１５ｄが作成するコード情報ＣＩは、２次元の図形情報であるＱＲ（Quick Response Code:）コード（登録商標）である。ＱＲコードは、縦方向及び横方向に配列した図形の組合せにより情報を定義している。ＱＲコードの作成方法等は、例えば、特開平１１ー３０６２７２公報に記載されている。
【００４５】
また、コード情報作成部１５ｄが作成するコード情報の他の例として、ＱＲコード等の２次元コードの他、１次元のバーコードや、ＵＲＬをそのまま用いるものであってもよい。
【００４６】
ステップＳＡ１５では、ユーザ端末１０の印刷実行部１５ｅは、画像ＧＤ、及びステップＳＡ１４で作成されたコード情報ＣＩをもとに印刷データＰＤを作成する（印刷実行手段）。
【００４７】
図８は、図７のステップＳＡ１５において実行される処理を詳細に示すフローチャートである。また、図９は、ユーザ端末１０が印刷データＰＤを作成する際に、ディスプレイ１３に表示するプレビュー画像３００を示す図である。
【００４８】
図８のステップＳＡ１５１では、印刷実行部１５ｅは、画像ＧＤ、及びコード情報ＣＩを埋め込むテンプレートデータＴＤをメモリ１９から読み出す。テンプレートデータＴＤは、印刷物の背景が形成された画像である。
【００４９】
ステップＳＡ１５２では、印刷実行部１５ｅは、テンプレートデータＴＤに画像ＧＤを合成する。また、ステップＳＡ１５３では、印刷実行部１５ｅは、テンプレートデータＴＤにコード情報ＣＩを合成する。なお、テンプレートデータＴＤにおける画像ＧＤやコード情報ＣＩを合成する位置は、使用されるテンプレートデータＴＤに応じて予め決められている。
【００５０】
ステップＳＡ１５４では、印刷実行部１５ｅは、プレビュー画像（合成画像）を表示する。図９（ａ）に示すように、ディスプレイ１３には、テンプレートデータＴＤの所定位置に、画像（写真ＧＤ１、コメントＧＤ２、日付ＧＤ３）と、コード情報ＣＩとが埋め込まれたプレビュー画像（合成画像）３００が表示される。ユーザはこのプレビュー画像３００を見ながら、テンプレートデータＴＤや、画像の構成を変更することができる。
【００５１】
ユーザの操作により各種設定（テンプレートデータＴＤ、オプション設定）が変更された場合（ステップＳＡ１５５：ＹＥＳ）、印刷実行部１５ｅは、設定を変更する（ＳＡ１５６）。そして、ステップＳＡ１５１に戻り、印刷実行部１５ｅは、変更後の設定によりプレビュー画像３００を作成し、表示させる（ステップＳＡ１５１〜ＳＡ１５４）。
【００５２】
例えば、プレビュー画像３００を表示させた状態で、ユーザがプレビュー画像３００の下方に表示されたテンプレートアイコン３０１を操作すると、印刷実行部１５ｅは、テンプレートデータＴＤを変更する。図９（ａ）と図９（ｂ）とは、写真ＧＤ１、コメントＧＤ２、日付ＧＤ３を同じにし、テンプレートデータＴＤのみを変更したプレビュー画像３００である。即ち、図９（ａ）では、写真ＧＤ１とコメントＧＤ２の配置が縦並びであるのに対して、図９（ｂ）では、写真ＧＤ１とコメントＧＤ２との配置が横並びに変更されている。また、図９（ａ）と図９（ｂ）とは、コード情報ＣＩの位置も異なっている。
【００５３】
また、プレビュー画像３００を表示させた状態で、プレビュー画像３００の下方に表示されたオプションアイコン３０２を操作すると、印刷実行部１５ｅは、プレビュー画像３００の構成を変更するオプション画面３１０を表示する。オプション画面３１０では、印刷データＰＤにコード情報ＣＩを含むか否かの設定や、コード情報ＣＩのリンク先の閲覧ページの変更が行なわれる。
【００５４】
図１０は、ディスプレイ１３に表示されたオプション画面３１０を説明する図である。図１０（ａ）では、オプション画面３１０の項目として、『名前』、『ＱＲコード』、『コメント』、『投稿日』の各オプション設定を切り替えるアイコン３１１〜３１４が表示されている。ユーザが各アイコン３１１〜３１４を操作することで、合成画像に含まれる各データの有無が切り替えられる。
【００５５】
例えば、図１０（ａ）に示す『ＱＲコード』のアイコン３１２を操作することで、次画面３２０（図１０（ｂ））では、ディスプレイ１３に『印刷しない』、『写真のＵＲＬ』、『アルバムのＵＲＬ』の各アイコン３２１〜３２３が表示される。ユーザが『印刷しない』のアイコン３２１を選択した場合、印刷実行部１５ｅは、コード情報ＣＩを含まない印刷データＰＤを生成する。また、ユーザが『写真のＵＲＬ』のアイコン３２２を選択した場合、印刷実行部１５ｅは、コード情報ＣＩのリンク先を印刷対象となる画像の個別のＵＲＬとする。即ち、コード情報ＣＩには、デフォルトページ１２０における画像のＵＲＬが設定される。そして、ユーザが『アルバムのＵＲＬ』のアイコン３２３を選択した場合、印刷実行部１５ｅは、コード情報ＣＩのリンク先をアルバムページ１３０のＵＲＬとする。即ち、コード情報ＣＩには、画像が含まれるアルバムページ１３０のＵＲＬが設定される。
【００５６】
一方、各種変更が無ければ（ステップＳＡ１５５：ＮＯ）、ステップＳＡ１５７に進み、印刷実行部１５ｅは、印刷データＰＤを生成する。例えば、ユーザが印刷を実行させるアイコン３０３を操作することで、印刷実行部１５ｅは、合成画像をプリンタ４０が使用する各色のインクに対応するビットマップデータに変換し、印刷データＰＤを生成する。
【００５７】
図７に戻り、ステップＳＡ１６では、ユーザ端末１０の印刷実行部１５ｅは、印刷データＰＤをプリンタ４０に送信する。具体的には、印刷実行部１５ｅは、無線通信部１１を制御して、プリンタ４０との間で無線通信を確立する。そして、この無線通を用いて、印刷データＰＤをプリンタ４０に送信する。
【００５８】
プリンタ４０では、印刷データＰＤを受信すると、印刷データＰＤを解析し用紙に印刷を行う（ステップＳＣ１）。
【００５９】
（４）印刷物の使用方法：
次に、プリンタ４０により印刷された印刷物の使用方法を説明する。
【００６０】
図１１は、プリンタ４０が印刷した印刷物の使用方法を説明する図である。図１１では、用紙としてはがきを用い、このはがきの書面に印刷物が印刷される印刷領域４００が形成されている。また、印刷領域４００には、印刷対象としてＷｅｂサーバ３０からダウンロードした画像（写真４０１、コメント４０２、日付４０３）がそれぞれ印刷されている。更に、印刷領域４００の図中の右側上部には、コード情報ＣＩに対応するＱＲコード４０４が印刷されている。
【００６１】
まず、はがき（印刷物）４００を受け取ったユーザＢ（図１）は、ＱＲコード４０４をユーザ端末２０のカメラ部１４で撮像し、コード情報ＣＩをユーザ端末２０に取り込む。ユーザ端末２０の内部では、取り込んだコード情報ＣＩをコード解析部１５ｆが解析し、ＵＲＬ（アクセス情報ＡＩ）を復元する。そして、コード解析部１５ｆは、復元されたＵＲＬにリンクされているＷｅｂサイト１１０（閲覧ページ）のダウンロードをＷｅｂサーバ３０に要求する。
【００６２】
そのため、コード情報ＣＩに含まれるＵＲＬがデフォルトページ１２０に対応する場合、ユーザ端末２０のディスプレイ１３には、指定された画像のみが表示される。一方、コード情報ＣＩに含まれるＵＲＬがアルバムページ１３０に対応する場合、図１１（ｃ）に示すように、ユーザ端末２０のディスプレイ１３には、指定された画像が含まれるアルバムページ１３０が表示される。
【００６３】
以上説明したように、この発明では、Ｗｅｂサイトで公開されている画像をプリンタで印刷する場合に、この画像が公開されているＷｅｂページにアクセスするためのコード情報が印刷される。そのため、ユーザはこのコード情報をもとに、画像が公開されているＷｅｂサイトを容易に特定することができる。
また、Ｗｅｂサイトが画像を個別に公開する第１のサービスと、画像を含めた複数の画像を一括で管理する第２のサービスと、を提供する場合でも、画像が公開されるサービスの種別に応じて、印刷されるコード情報を設定することができる。
そして、コード情報を読み取ることで画像が公開されているＷｅｂページにアクセスできるため、ユーザは簡単に画像が公開されているＷｅｂページを閲覧することができる。
【００６４】
２．第２の実施形態：
印刷物に印刷されるコード情報の濃度を用紙の種別に応じて変更するものであってもよい。図１２は、用紙の種別に応じて変更されるコード情報ＣＩの濃度を示す図である。図１２（ａ）は、用紙として非コート紙（第１の用紙）５００に印刷されたＱＲコード５０２を示す図である。また、図１２（ｂ）は、用紙としてコート紙（第２の用紙）５０１に印刷されたＱＲコード５０３を示す図である。ここで、非コート紙５００はコート紙５０１に比べて滲み易いものとする。
【００６５】
この第２の実施形態では、ユーザ端末１０は、ディスプレイ１３に表示されたオプション画面３１０で、用紙の種別（コート紙、非コート紙）を設定することができる。印刷実行部１５ｅは、オプション画面３１０で設定された用紙が非コート紙５００である場合、ＱＲコード５０２を印刷するインクの濃度をデフォルトの濃度に比べて低くなるよう印刷データＰＤを生成する（図１２（ａ））。一方、印刷実行部１５ｅは、オプション画面３１０で設定された用紙がコート紙５０１である場合、ＱＲコード５０３を印刷するインクの濃度をデフォルトの濃度にする（図１２（ｂ））。
【００６６】
上記構成により、画像が印刷される用紙が滲み易い場合でも、インクの滲みを低減させることができる。その結果、コード情報が滲むことで、読み取りエラーが生じるのを抑制することができる。
【００６７】
３．第３の実施形態：
この第３の実施形態では、コード情報ＣＩが印刷される用紙の滲み易さに応じて、用紙に印刷されるコード情報ＣＩのサイズを変更する。具体的には、ユーザ端末１０は、オプション画面３１０で、用紙の種別を設定することができる。また、メモリ１９には、用紙の種別に応じてコード情報ＣＩが埋め込まれる領域が異なる複数のテンプレートデータＴＤが記録されている。そして、印刷実行部１５ｅは、設定された用紙の種別が滲みにくいものである場合に、コード情報ＣＩが埋め込まれる領域が小さいテンプレートデータＴＤを使用する。
【００６８】
上記構成により、コート紙等の滲みが生じにくい用紙（第３の用紙）にコード情報ＣＩを印刷する場合のコード情報ＣＩのサイズを、被コート紙の滲みが生じやすい用紙（第４の用紙）に印刷する場合に比べて、小さくすることができる。そのため、滲みが生じにくい用紙を用いる場合は、印刷物に形成されるコード情報ＣＩを目立ちにくくすることができる。一方、印刷実行部１５ｅは、設定された用紙の種別が滲み易い場合に、用紙に印刷されるコード情報のサイズを大きくしてもよい。
【００６９】
４．その他の実施形態：
本発明は、様々な実施形態が存在する。
印刷データＰＤを生成するのはユーザ端末１０以外であってもよい。例えば、ユーザ端末１０は、Ｗｅｂサーバ３０が記録する画像ＧＤやアクセス情報ＡＩをプリンタ４０にダウンロードさせる。また、プリンタ４０がアクセス情報ＡＩからコード情報ＣＩを生成する。そして、プリンタ４０は、画像ＧＤやコード情報ＣＩをもとに、印刷データＰＤを生成する。更に、プリンタ４０が印刷データＰＤを生成する上記例において、ユーザ端末１０がアクセス情報ＡＩからコード情報ＣＩを生成した後、生成したコード情報ＣＩをプリンタ４０に送信するものであってもよい。
【００７０】
被印刷物に印刷されるコード情報ＣＩの色をユーザ端末１０のディスプレイ１３に表示されるオプション画面３１０で変更するものであってもよい。
【００７１】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００７２】
１０…ユーザ端末、１１…無線通信部、１３…ディスプレイ、１４…カメラ部、１５…制御部、１５ａ…指定受付部、１５ｂ…画像取得部、１５ｃ…アクセス情報取得部、１５ｄ…コード情報作成部、１５ｅ…印刷実行部、１５ｆ…コード解析部、１９…メモリ、２０…ユーザ端末、３０…Ｗｅｂサーバ、３２…制御部、３２ａ…サイト管理モジュール、３２ｂ…検索モジュール、３２ｃ…閲覧画像作成モジュール、３６…管理用ＤＢ、３７…画像管理領域、４０…プリンタ、５０…インターネット、６０…基地局、１００…印刷システム、１１０…Ｗｅｂサイト、１２０…デフォルトページ、１３０…アルバムページ、２００…機能選択画面、３００…プレビュー画像、３１０…オプション画面、３７１…一次管理領域、３７２…アルバム管理領域
【図１】
2015087998.tif 000003
【図２】
2015087998.tif 000004
【図３】
2015087998.tif 000005
【図４】
2015087998.tif 000006
【図５】
2015087998.tif 000007
【図６】
2015087998.tif 000008
【図７】
2015087998.tif 000009
【図８】
2015087998.tif 000010
【図９】
2015087998.tif 000011
【図１０】
2015087998.tif 000012
【図１１】
2015087998.tif 000013
【図１２】
2015087998.tif 000014